(57)【要約】      （修正有）【課題】表示パネルのベゼルを表示面側で露出させており、ベゼルの周面を隙間が生じないようにキャビネットで覆うことが容易な表示装置を提供する。【解決手段】表示装置１は、表示パネル２、バックライト１３，拡散板１４を有する表示部と、皿形状に形成され、表示部を支持し格納するシャーシ７と、表示パネル２の周面及び表示面の周縁を覆う額縁体であるベゼル３と、ベゼル３の外周を囲繞する枠体であり、シャーシ７の外縁部に設けられた複数のネジ孔９にネジ留めされる背面部４ａ、及びベゼル３の外周に当接する当接部４ｂを有するキャビネット４と、ネジ孔９の内側でシャーシ７及びキャビネット４間に設けられた突起部１１とを備えている。【選択図】図２
2017167419.tif 000002
【特許請求の範囲】
【請求項１】
表示パネルを有する表示部と、
皿形状に形成され、前記表示部を支持し格納するシャーシと、
前記表示パネルの周面及び表示面の周縁を覆う額縁体であるベゼルと、
該ベゼルの外周を囲繞する枠体であり、前記シャーシの外縁部に設けられた複数のネジ孔にネジ留めされる背面部、及び前記ベゼルの外周に当接する当接部を有するキャビネットと、
前記ネジ孔の内側で前記シャーシ及びキャビネット間に設けられた突起部と
を備えることを特徴とする表示装置。
【請求項２】
前記ベゼルは、前記シャーシの外縁部に設けられた複数のベゼル用ネジ孔にネジ留めされており、
該ベゼル用ネジ孔の内側で前記シャーシ及びベゼル間に設けられた突起部を更に備える請求項１に記載の表示装置。
【請求項３】
前記突起部は、前記シャーシ側から突き出すように設けられている請求項１又は２に記載の表示装置。
【請求項４】
前記突起部は、円柱形状であり、設けられた部位に応じて高さが異なる請求項１から３の何れか１項に記載の表示装置。
【請求項５】
前記突起部は、前記シャーシの角を避けて設けられている請求項１から４の何れか１項に記載の表示装置。
【発明の詳細な説明】
【技術分野】
【０００１】
本発明は、表示パネルの周面及び表示面の周縁を覆うベゼルと、ベゼルの外周を囲繞し、表示パネルを支持するシャーシの外縁部にネジ留めされる背面部、及びベゼルの外周に当接する当接部を有するキャビネットとを備える表示装置に関するものである。
【背景技術】
【０００２】
テレビジョン受像機及びパーソナルコンピュータ等に使用される液晶表示装置では、薄型化が進んでいる。薄型化の１つの手法として、液晶パネルの周面及び表示面の周縁を覆って保護する額縁体であり、従来は表示面側の化粧板（キャビネット）に覆われていたベゼルを表示面側に露出させて、化粧板の厚さ分、薄くした形状がある。
【０００３】
特許文献１には、入射面において光源から受光した光を出射面より出射する導光板と、導光板を出射面側から導光板の厚み方向に押さえる導光板押さえ部を有するプラスチックシャーシとを備える光源モジュールが開示されている。導光板押さえ部は、その端部によって導光板を押さえるように、導光板に対して傾斜して配置されている。
【０００４】
特許文献２には、表示パネルの前面の外縁部分を覆うキャビネット本体とキャビネット本体の背面から後方に延出する固定用延出部とを有するフロントキャビネットと、表示パネルの後側に設けられた背面シャーシと、表示パネルの背面側を押さえるように設けられた中間シャーシとを備える薄型表示装置が開示されている。フロントキャビネットの固定用延出部と背面シャーシと中間シャーシとが側面ネジ構造で固定され、キャビネット本体の表示パネル中央側の端部が表示パネル側に付勢している。
【先行技術文献】
【特許文献】
【０００５】
【特許文献１】特開２０１３−１８２７２８号公報
【特許文献２】特開２０１５−９０４２０号公報
【発明の概要】
【発明が解決しようとする課題】
【０００６】
上述したような液晶表示装置では、液晶パネルのベゼルの周面に当接すべき化粧板（キャビネット）の当接部とベゼルとの間に、化粧板及びベゼルの撓みによる隙間が生じて、表示面側から見えてしまうので、取り付け精度を高める必要があり、製造コストが増大するという問題がある。また、取り付け精度が出ない場合は、スペーサ等を挿入する必要があり、更に部品コストが増大するという問題がある。
【０００７】
本発明は、上述したような事情に鑑みてなされたものであり、表示パネルのベゼルを表示面側で露出させており、ベゼルの周面を隙間が生じないようにキャビネットで覆うことが容易な表示装置を提供することを目的とする。
【課題を解決するための手段】
【０００８】
本発明に係る表示装置は、表示パネルを有する表示部と、皿形状に形成され、前記表示部を支持し格納するシャーシと、前記表示パネルの周面及び表示面の周縁を覆う額縁体であるベゼルと、該ベゼルの外周を囲繞する枠体であり、前記シャーシの外縁部に設けられた複数のネジ孔にネジ留めされる背面部、及び前記ベゼルの外周に当接する当接部を有するキャビネットと、前記ネジ孔の内側で前記シャーシ及びキャビネット間に設けられた突起部とを備えることを特徴とする。
【０００９】
この表示装置では、皿形状に形成されたシャーシが、表示パネルを有する表示部を支持して格納し、額縁体であるベゼルが、表示パネルの周面及び表示面の周縁を覆っている。ベゼルの外周を囲繞する枠体であるキャビネットは、背面部がシャーシの外縁部に設けられた複数のネジ孔にネジ留めされ、当接部がベゼルの外周に当接する。ネジ孔の内側でシャーシ及びキャビネット間に設けられた突起部が、キャビネットの背面部を押し上げることにより、当接部をベゼルの外周へ押圧する。
【００１０】
本発明に係る表示装置は、前記ベゼルは、前記シャーシの外縁部に設けられた複数のベゼル用ネジ孔にネジ留めされており、該ベゼル用ネジ孔の内側で前記シャーシ及びベゼル間に設けられた突起部を更に備えることを特徴とする。
【００１１】
この表示装置では、ベゼルが、シャーシの外縁部に設けられた複数のベゼル用ネジ孔にネジ留めされている。ベゼル用ネジ孔の内側でシャーシ及びベゼル間に設けられた突起部が、ベゼルの一方の端部を押し上げることにより、ベゼルの他方の端部を表示パネルの表示面へ押圧する。
【００１２】
本発明に係る表示装置は、前記突起部は、前記シャーシ側から突き出すように設けられていることを特徴とする。
【００１３】
本発明に係る表示装置は、前記突起部は、円柱形状であり、設けられた部位に応じて高さが異なることを特徴とする。
【００１４】
本発明に係る表示装置は、前記突起部は、前記シャーシの角を避けて設けられていることを特徴とする。
【発明の効果】
【００１５】
本発明に係る表示装置によれば、表示パネルのベゼルを表示面側で露出させており、ベゼルの周面を隙間が生じないようにキャビネットで覆うことが容易な表示装置を実現することができる。また、これにより、キャビネット等の部品に対する要求仕様の緩和、及び組み立て作業の簡素化を実現し、部品コスト及び製造コストを低減でき、外観品位を向上させることができる。
【図面の簡単な説明】
【００１６】
【図１】表示装置の実施の形態である液晶表示装置の外観を示す正面図である。
【図２】液晶表示装置のキャビネット及びベゼルの取り付け状態を示す断面斜視図である。
【図３】ネジ孔部を拡大して示す斜視図である。
【図４】バックライトシャーシの裏側を示し、ネジ孔部の設置位置を示す説明図である。
【図５】液晶表示装置の作用、効果を模式的な断面図で示す説明図である。
【発明を実施するための形態】
【００１７】
以下に、本発明をその実施の形態を示す図面に基づき説明する。
（実施の形態１）
図１は、表示装置の実施の形態１である液晶表示装置の外観を示す正面図である。
この液晶表示装置１は、下部に設けられた脚部５により支持されており、液晶パネル２（表示パネル）の周面及び表示面の周縁を覆う額縁体であるベゼル３が、液晶パネル２の表示面側に露出している。ベゼル３の外周を囲繞する枠体であるキャビネット４は、その当接部がベゼル３の外周に隙間なく当接している。
液晶パネル２の表示面の下方には、液晶表示装置１の操作部６が設けられている。
【００１８】
図２は、液晶表示装置１のキャビネット４及びベゼル３の取り付け状態を示す断面斜視図である。
この液晶表示装置１は、方形の皿形状に形成され、液晶パネル２（表示パネル）の多数の並列されたバックライト（ＬＥＤ）１３を支持し格納するバックライトシャーシ７（シャーシ）を備えている。バックライトシャーシ７と液晶パネル２との間には、バックライト１３が放射した光を均一に拡散し、液晶パネル２を裏面側から照射する拡散板１４が設けられている。液晶パネル２、バックライト１３及び拡散板１４等は表示部を構成している。
バックライトシャーシ７の外縁部の外面には、キャビネット４をネジ留めする為のネジ孔９が設けられたネジ孔部８が付設されている。
【００１９】
図３は、ネジ孔部８を拡大して示す斜視図である。
ネジ孔部８は、ネジ孔９の口がキャビネット４に届くように、バックライトシャーシ７の外縁部から突き出た形状をしており、バックライトシャーシ７の外縁部、及びバックライトシャーシ７の皿形状の斜面の両側から突き出るように付設されている。
【００２０】
ネジ孔９の内側の外面（ネジ孔部８の外面）には、形成し易く形成コストが低い円柱状の突起部１１が突き出すように設けられている。
尚、図３Ａでは，ネジ孔部８の１つのネジ孔９に対して１つの突起部１１が設けられているが、図３Ｂに示すように、ネジ孔部８ａの１つのネジ孔９に対して２つの突起部１１が設けられていても良い。
また、ネジ孔部８は、バックライトシャーシ７及びキャビネット４の形状によっては、必ずしも必要ではなく、その場合は、ネジ孔９及び突起部１１は、バックライトシャーシ７の外縁部に直接設けられる。
【００２１】
キャビネット４（図２）は、断面視が、バックライトシャーシ７のネジ孔９にネジ留めされる長辺部（背面部）４ａと、ベゼル３の外周に当接する短辺部（当接部）４ｂとを有する略コの字形状に形成された枠体である。キャビネット４は、背面部４ａのネジ孔９に対向する位置に、ネジ孔１２が設けられている。
【００２２】
キャビネット４は、ネジ孔１２がバックライトシャーシ７のネジ孔９に合わさった状態で、ネジ１０によりネジ留めされる。この際、背面部４ａの端部が突起部１１に当たって、キャビネット４が液晶パネル２の表示面側へ若干回転する。これにより、キャビネット４の当接部４ｂとベゼル３の外周面との隙間ｃが生じていても、隙間ｃを消滅させることができる。
尚、ネジ孔９及びネジ孔１２の設置位置により、キャビネット４及びベゼル３の撓み量が異なり、隙間ｃの生じ方も異なるので、予め、隙間ｃの生じ方に応じて、突起部１１の高さを定めとおくと、キャビネット４の取り付け精度を高めることができる。
【００２３】
図４は、バックライトシャーシ７の裏側を示し、ネジ孔部８（ネジ孔部８ａも同様）の設置位置を示す説明図である。
ネジ孔部８は、バックライトシャーシ７の下部以外の外縁部の外面に、略均等に配置されている。ネジ孔部８は、バックライトシャーシ７の両辺側からの力が集中する角には、バックライトシャーシ７の強度を考慮して設けられていない。
【００２４】
図５Ａは、液晶表示装置１の作用、効果を模式的な断面図で示す説明図である。但し、図５Ａでは、ネジ孔部８，８ａは図示を省略している。
上述したような構成の液晶表示装置１では、キャビネット４が、ネジ孔１２がバックライトシャーシ７のネジ孔９に合わさった状態で、ネジ１０によりネジ留めされる。
【００２５】
この際、キャビネット４の背面部４ａの端部が突起部１１に当たり、キャビネット４の背面部４ａが、バックライトシャーシ７側へ回転し（矢印ａ）、キャビネット４の当接部４ｂが液晶パネル２の表示面側へ若干回転する（矢印ｂ）。これにより、キャビネット４の当接部４ｂとベゼル３の外周面との隙間ｃを消滅させることができる。
【００２６】
（実施の形態２）
図５Ｂは、表示装置の実施の形態２である液晶表示装置の作用、効果を模式的な断面図で示す説明図である。但し、図５Ｂでは、ネジ孔部は図示を省略している。
実施の形態１（図５Ａ）では、突起部１１は、バックライトシャーシ７側に設けられているが、本実施の形態２では、突起部１１に代えて、突起部１１に対向するキャビネット４の背面部４ａの端部に突起部１１ａを設けている。これにより、図５Ａに示すのと同様の効果を得ることができる。その他の構成及び動作は、上述した実施の形態１と同様であるので説明を省略する。
【００２７】
（実施の形態３）
図５Ｃは、表示装置の実施の形態３である液晶表示装置の作用、効果を模式的な断面図で示す説明図である。
バックライトシャーシ７の外縁部の外面には、ベゼル３をネジ留めする為のベゼル用ネジ孔９ａが設けられている。
ネジ孔９ａの内側の外面には、円柱状の突起部１１ｂが突き出すように設けられている。
【００２８】
ベゼル３は、断面視が、バックライトシャーシ７のネジ孔９ａにネジ留めされる長辺部３ａと、液晶パネル２の表示面の周縁に接する短辺部３ｂとを有するＬ字形状に形成された額縁体である。ベゼル３は、長辺部３ａのネジ孔９ａに対向する位置にネジ孔１２ａが設けられている。
【００２９】
ベゼル３は、ネジ孔１２ａがバックライトシャーシ７のネジ孔９ａに合わさった状態で、ネジ１０ａによりネジ留めされる。この際、長辺部３ａの端部が突起部１１ｂに当たって、ベゼル３が液晶パネル２の表示面側へ若干回転する。これにより、ベゼル３の短辺部３ｂと液晶パネル２の表示面との隙間が生じていても、隙間を消滅させることができる。
【００３０】
図５Ｃでは、突起部１１ｂは、バックライトシャーシ７側に設けられているが、図５Ｄに示すように、突起部１１ｂに代えて、突起部１１ｂに対向するベゼル３の長辺部３ａの端部に突起部１１ｃを設けておいても、同様の効果を得ることができる。その他の構成及び動作は、上述した実施の形態１と同様であるので説明を省略する。
【００３１】
尚、本実施の形態１〜３では、表示装置として液晶表示装置の例を説明しているが、本発明は、液晶表示装置に限らず、有機ＥＬディスプレイ及びＬＥＤディスプレイ等の表示装置においても、実施することが可能である。
本実施の形態１〜３は、全ての点で例示であって制限的なものではないと考えるべきである。本発明の範囲は上述の説明ではなく特許請求の範囲によって示され、特許請求の範囲と均等の意味及び範囲内での全ての変更が含まれることが意図される。
【符号の説明】
【００３２】
１  液晶表示装置（表示装置）
２  液晶パネル（表示パネル）
３  ベゼル
４  キャビネット
４ａ  背面部
４ｂ  当接部
７  バックライトシャーシ（シャーシ）
８，８ａ  ネジ孔部
９，１２，１２ａ  ネジ孔
９ａ  ネジ孔（ベゼル用ネジ孔）
１０，１０ａ  ネジ
１１，１１ａ，１１ｂ，１１ｃ  突起部
１３  バックライト
【図１】
2017167419.tif 000003
【図２】
2017167419.tif 000004
【図３】
2017167419.tif 000005
【図４】
2017167419.tif 000006
【図５】
2017167419.tif 000007